(57)【特許請求の範囲】
【請求項１】
シリンダ部と、
前記シリンダ部の内周面に沿ってシリンダ軸方向に摺動可能なピストン部と、
前記ピストン部を操作するピストン操作部と、
前記シリンダ部内の液室に連通された筒状の吸込み部と、
前記吸込み部の内側に配設され、前記ピストン部の引戻し動作に連動して開けられる開閉可能な吸込み弁と、
内容物を吐出する吐出口を有し、前記シリンダ部の側方に向かって突出しているとともに、前記シリンダ部に直結されて前記液室に連通された筒状のノズル部と、
前記ノズル部の内側に配設され、前記ピストン部の押込み動作に連動して開けられる開閉可能な吐出弁と、を備え、
前記吐出弁は、前記ノズル部の内側に取付けられる弁基部と、弾性変形することにより前記液室と前記吐出口との連通及びその遮断を切り替える弁部と、を備え、
前記ノズル部の内側において、前記吐出弁よりも前記吐出口側に位置する部分には、前記弁基部と当接或いは近接する弁押えが配設されていることを特徴とする定量吐出器。
【請求項２】
前記弁部は、前記弁基部から前記吐出口側に向けて延びる筒状に形成され、
前記弁押えは、前記弁部におけるノズル径方向の内側に挿入され、前記弁基部と当接或いは近接していることを特徴とする請求項１に記載の定量吐出器。
【請求項３】
前記弁基部の外表面のうち、前記吐出口側を向く前面には凹部が形成され、
前記弁押えには、前記凹部内に挿入される突部が形成されていることを特徴とする請求項１又は２に記載の定量吐出器。
【請求項４】
前記弁押えは、前記弁基部の外表面のうち、前記吐出口側を向く前面の略全域にわたって当接する当接部を備えることを特徴とする請求項１から３のいずれか１項に記載の定量吐出器。
【発明の詳細な説明】
【技術分野】
【０００１】
本発明は、定量吐出器に関するものである。
【背景技術】
【０００２】
従来、定量吐出器として、下記特許文献１に示されるように、シリンダ部と、シリンダ部の内周面に沿ってシリンダ軸方向に摺動可能なピストン部と、ピストン部を操作するピストン操作部と、シリンダ部内の液室に連通された筒状の吸込み部と、吸込み部の内側に配設され、ピストン部の引戻し動作に連動して開けられる開閉可能な吸込み弁と、内容物を吐出する吐出口を有し、シリンダ部の側方に向かって突出しているとともに、シリンダ部に直結されて液室に連通された筒状のノズル部と、ノズル部の内側に配設され、ピストン部の押込み動作に連動して開けられる開閉可能な吐出弁と、を備えるものが知られている。
【先行技術文献】
【特許文献】
【０００３】
【特許文献１】特開２０１５−１２７２４２号公報
【発明の概要】
【発明が解決しようとする課題】
【０００４】
ところで、このような定量吐出器においては、例えば倒立姿勢で落下等したときに、ピストン操作部が強く押され、内容物が、ノズル部の内側を吐出口側に向けて勢いよく流れることで、吐出弁がノズル軸方向の吐出口側に向けて位置ずれし、弁機能を損なうおそれがあった。このような課題は、容器本体の内容量が大きく、大量の内容物が容器本体内に充填されている場合に特に生じやすい。
【０００５】
本発明は、前述した事情に鑑みてなされたものであって、ノズル部の内側において、吐出弁がノズル軸方向の吐出口側に向けて位置ずれするのを防ぐことができる定量吐出器を提供することを目的とする。
【課題を解決するための手段】
【０００６】
前記課題を解決するために、本発明に係る定量吐出器は、シリンダ部と、前記シリンダ部の内周面に沿ってシリンダ軸方向に摺動可能なピストン部と、前記ピストン部を操作するピストン操作部と、前記シリンダ部内の液室に連通された筒状の吸込み部と、前記吸込み部の内側に配設され、前記ピストン部の引戻し動作に連動して開けられる開閉可能な吸込み弁と、内容物を吐出する吐出口を有し、前記シリンダ部の側方に向かって突出しているとともに、前記シリンダ部に直結されて前記液室に連通された筒状のノズル部と、前記ノズル部の内側に配設され、前記ピストン部の押込み動作に連動して開けられる開閉可能な吐出弁と、を備え、前記吐出弁は、前記ノズル部の内側に取付けられる弁基部と、弾性変形することにより前記液室と前記吐出口との連通及びその遮断を切り替える弁部と、を備え、前記ノズル部の内側において、前記吐出弁よりも前記吐出口側に位置する部分には、前記弁基部と当接或いは近接する弁押えが配設されていることを特徴とする。
【０００７】
この発明によれば、ノズル部の内側において、吐出弁よりも吐出口側の前側に位置する部分に、吐出弁の弁基部とノズル軸方向に当接或いは近接する弁押えが配設されているので、仮に前記液室内の内容物が、ノズル部の内側を吐出口側に向けて勢いよく流れたとしても、弁押えにより、弁基部を吐出弁の前側から押えることができる。このため、ノズル部の内側において、吐出弁が前側に位置ずれするのを防ぐことができる。
【０００８】
また、前記弁部は、前記弁基部から前記吐出口側に向けて延びる筒状に形成され、前記弁押えは、前記弁部よりもノズル径方向の内側に挿入され、前記弁基部と当接或いは近接してもよい。
この場合には、弁押えが弁部におけるノズル径方向の内側に挿入されているので、弁押えが弁部と接触するのを抑制することが可能になり、弁部の弾性変形が弁押えによって阻害されるのを防ぐことができる。
【０００９】
また、前記弁基部の外表面のうち、前記吐出口側を向く前面には凹部が形成され、前記弁押えには、前記凹部内に挿入される突部が形成されてもよい。
この場合には、弁押えの突部が、弁基部の前面に形成された凹部内に挿入されているので、吐出弁が弁押えに対して、ノズル径方向に位置ずれするのを抑制することが可能になり、弁押えにより吐出弁を確実に押えることができる。
【００１０】
また、前記弁押えは、前記弁基部の外表面のうち、前記吐出口側を向く前面の略全域にわたって当接する当接部を備えてもよい。
この場合には、弁押えの当接部により、弁基部の前面を略全域にわたって押えることで、吐出弁がノズル軸に対して傾くのを防ぐことができ、吐出弁が前側に位置ずれするのを効果的に抑制することができる。
【発明の効果】
【００１１】
本発明によれば、ノズル部の内側において、吐出弁がノズル軸方向の吐出口側に向けて位置ずれするのを防ぐことができる。
【図面の簡単な説明】
【００１２】
【図１】本発明の第一実施形態に係る定量吐出器を示す縦断面図である。
【図２】（ａ）図１に示すノズル部及びその周辺の拡大図、並びに（ｂ）弁押えの後端部をノズル軸方向から見た平面図である。
【図３】（ａ）本発明の第二実施形態に係る定量吐出器のノズル部及びその周辺を示す縦断面図、並びに（ｂ）弁押えの後端部をノズル軸方向から見た平面図である。
【図４】（ａ）本発明の第三実施形態に係る定量吐出器のノズル部及びその周辺を示す縦断面図、並びに（ｂ）弁押えの後端部をノズル軸方向から見た平面図である。
【発明を実施するための形態】
【００１３】
（第一実施形態）
以下、図面を参照して、本発明に係る定量吐出器の一実施形態について説明する。なお、以下の説明に用いる各図面では、各部材を認識可能な大きさとするために縮尺を適宜変更している。
【００１４】
＜定量吐出器の構成＞
図１に示すように、定量吐出器１は、容器本体１０の口部１１に装着された装着キャップ２と、装着キャップ２に連結されたシリンダ部３と、シリンダ部３内に摺動可能に配設されたピストン部４と、ピストン部４を操作するピストン操作部５と、シリンダ部３内の液室３２に連通された管状の吸込み部６と、吸込み部６の内側に配設されるとともにピストン部４の動作に伴って開閉可能とされた吸込み弁７と、内容物を吐出する吐出口８１ａを有し、シリンダ部３の側方に向かって突出するとともにシリンダ部３に直結されてシリンダ部３内の液室３２に連通された筒状のノズル部８と、ノズル部８の内側に配設された吐出弁９と、を備えている。
【００１５】
以下、シリンダ部３の横断面がなす円形状の中央を通るシリンダ軸Ｏに沿って、ピストン操作部５側を上側、容器本体１０側を下側という。また、シリンダ軸Ｏ方向から見た平面視において、シリンダ軸Ｏ回りに周回する方向を周方向といい、シリンダ軸Ｏに直交する方向を径方向という。
【００１６】
（容器本体）
容器本体１０は、例えばガラス瓶、合成樹脂製ボトル等であり、内部に図示しない内容物が収容される。容器本体１０の口部１１の外周面には、雄ねじ１２が形成されている。
【００１７】
（装着キャップ）
装着キャップ２は、円筒形状に形成され、シリンダ軸Ｏと同軸に配設されている。装着キャップ２の内周面には、口部１１の雄ねじ１２に螺合された雌ねじ２０が形成されている。
【００１８】
（シリンダ部）
シリンダ部３は、有底筒状に形成され、その内側に容器本体１０内の内容物を貯留する液室３２が形成されるとともに、容器本体１０の上方に配置されている。
シリンダ部３には、装着キャップ２に接続され、口部１１に装着された装着筒部３０が設けられている。装着筒部３０は、シリンダ部３の底壁部３１から下方に向けて延在し、シリンダ軸Ｏと同軸に配置されている。装着筒部３０の下端部は、装着キャップ２の上端部内にアンダーカット嵌合されている。装着筒部３０には、口部１１の上端開口縁上に配置された支持フランジ部３０ａが形成されている。
【００１９】
シリンダ部３の外周面には、被係止部３４が径方向の外側に向けて突設されている。なお、被係止部３４は、シリンダ部３の外周面において、シリンダ軸Ｏを径方向に挟んで互いに反対となる位置に各別に形成されている。但し、被係止部３４の数は２つに限定されるものではない。
【００２０】
（ピストン部）
ピストン部４は、シリンダ部３内に配設されて液室３２を画成している。
ピストン部４は、図１に示すように、シリンダ軸Ｏに直交する底壁部４０と、底壁部４０の外縁から上方に向けて延びる周壁部４１と、周壁部４１を径方向の外側から囲繞し、且つシリンダ部３内に摺動自在に嵌合された筒状の摺接部４３と、を備えている。
【００２１】
底壁部４０は、液室３２に面する平面視円形の壁部であり、シリンダ部３の底壁部３１の上方に間隔をあけて対向配置されている。底壁部４０の外周部の上面には後述する連結部材５３のフランジ部５３ｂが当接されており、フランジ部５３ｂによって底壁部４０が上方から押さえられている。
【００２２】
周壁部４１は、円筒形状の筒部であり、シリンダ軸Ｏを共通軸にしてシリンダ部３と同軸上に配設されている。摺接部４３は、シリンダ軸Ｏを共通軸にしてシリンダ部３と同軸上に配設された略円筒形状の筒部であり、摺接部４３の上下方向の中間部は、上記した周壁部４１の上端部に連結されている。摺接部４３の上端部は、上側に向かうに従い漸次拡径されたテーパー形状に形成されている。
また、摺接部４３の下端部は、下側に向かうに従い漸次拡径されたテーパー形状に形成されている。そして、これら摺接部４３の上下端部は、それぞれシリンダ部３の内周面に全周に亘って密に摺動自在に当接している。
【００２３】
（ピストン操作部）
ピストン操作部５は、シリンダ部３の上端部に被着された中蓋５０と、シリンダ部３に対して相対的に押し下げ可能な押下ヘッド５１と、押下ヘッド５１を上方に付勢するコイルスプリング５２と、押下ヘッド５１とピストン部４とを連結する連結部材５３と、を備えている。
【００２４】
中蓋５０は、シリンダ軸Ｏに対して垂直に配設された円環状の天壁部５０ａと、天壁部５０ａの外縁から下方に向かって延びる外筒部５０ｂと、天壁部５０ａの内縁から下方に向かって延びる内筒部５０ｃと、内筒部５０ｃの下端部から径方向の内側に向けて延びる円環状の底壁部５０ｄと、底壁部５０ｄの内縁から立設されたガイド筒部５０ｅと、を備えている。
天壁部５０ａは、シリンダ部３の上方に配置され、シリンダ部３の上端開口縁上に載置されている。
【００２５】
外筒部５０ｂは、シリンダ部３の上端部の外周に周設された円筒形状の筒部であり、シリンダ軸Ｏを共通軸にしてシリンダ部３と同軸上に配置されているとともにシリンダ部３の上端部にアンダーカット嵌合されている。内筒部５０ｃは、シリンダ部３の上端部の内側に配設された略円筒形状の筒部であり、シリンダ軸Ｏを共通軸にしてシリンダ部３及び外筒部５０ｂと同軸上に配置されている。
【００２６】
底壁部５０ｄは、シリンダ軸Ｏに対して垂直に配設された円環状の板部である。また、底壁部５０ｄの下面には、連結部材５３の後述するフランジ部５３ｂに上方から当接するストッパ５０ｆが設けられている。ガイド筒部５０ｅは、内筒部５０ｃの内側に配設された円筒形状の直筒部であり、シリンダ軸Ｏを共通軸にして内筒部５０ｃと同軸上に配置されている。
【００２７】
押下ヘッド５１は、シリンダ軸Ｏに対して垂直に配設された円環状の天壁部５１ａと、天壁部５１ａの外縁から下方に向かって延びる周壁部５１ｂと、天壁部５１ａの内縁から下方に向かって延びる内筒部５１ｃと、天壁部５１ａの下面から下方に向かって延びる筒状のスプリング保持部５１ｄと、を備えている。天壁部５１ａは、中蓋５０の天壁部５０ａの上方に配設されている。
周壁部５１ｂは、中蓋５０の外筒部５０ｂ及びシリンダ部３の外周に周設された円筒形状の直筒部であり、シリンダ軸Ｏを共通軸にして中蓋５０の外筒部５０ｂ及びシリンダ部３と同軸上に配置されている。
【００２８】
内筒部５１ｃは、周壁部５１ｂの内側に配設された円筒形状の直筒部であり、シリンダ軸Ｏを共通軸にして周壁部５１ｂと同軸上に配置されている。
また、内筒部５１ｃの外径は、中蓋５０のガイド筒部５０ｅよりも小径であり、内筒部５１ｃは、ガイド筒部５０ｅの内側に挿入されている。スプリング保持部５１ｄは、コイルスプリング５２の上端部を保持する円筒形状の筒部であり、周壁部５１ｂの上端部と内筒部５１ｃの上端部との間に配設されている。
【００２９】
コイルスプリング５２は、押し込まれたピストン部４を引き戻す付勢力を付与するための付勢部材であり、上記した中蓋５０と押下ヘッド５１との間に介装されている。
コイルスプリング５２は、押下ヘッド５１の周壁部５１ｂの内側に配設されており、コイルスプリング５２の下端は、上記した中蓋５０の底壁部５０ｄの上面に係止され、コイルスプリング５２の上端は、上記した押下ヘッド５１のスプリング保持部５１ｄの内側に嵌め込まれて押下ヘッド５１の天壁部５１ａの下面に係止されている。
【００３０】
連結部材５３は、押下ヘッド５１の内筒部５１ｃの内側に嵌合された嵌合部５３ａと、嵌合部５３ａの下端から径方向外側に突出したフランジ部５３ｂと、を備えている。嵌合部５３ａは、有頂筒状の筒部であり、シリンダ軸Ｏを共通軸にして押下ヘッド５１の内筒部５１ｃと同軸上に延設されている。
嵌合部５３ａの上端部は、押下ヘッド５１の内筒部５１ｃにアンダーカット嵌合されており、嵌合部５３ａの上端面は、押下ヘッド５１の天壁部５１ａの上面と面一に形成されている。
【００３１】
フランジ部５３ｂは、周方向の全周に亘って形成された円環状の板部であり、ピストン部４の底壁部４０の上面に載置されているとともにピストン部４の周壁部４１の内側にアンダーカット嵌合されている。
また、フランジ部５３ｂは、中蓋５０の底壁部５０ｄの下面に設けられたストッパ５０ｆと当接可能とされており、これにより、コイルスプリング５２による押下ヘッド５１（ピストン部４）の上昇が制限されて押下ヘッド５１（ピストン部４）のストロークの上端位置が位置決めされている。
【００３２】
（吸込み部）
吸込み部６は、容器本体１０の内部に収容された内容物をシリンダ部３内の液室３２に吸い込むための管状部であり、その概略構成としては、シリンダ部３の底壁部３１の下面から下方に向かって延びているとともにシリンダ部３の内側に連通した接続筒部６０と、接続筒部６０に接続されたディップチューブ６１と、を備えている。
【００３３】
接続筒部６０は、上記した装着筒部３０の内側に配設されているとともにシリンダ軸Ｏを共通軸にして同軸上に配設された筒部である。接続筒部６０のうち、上端部は他の部分よりも拡径されている。すなわち、接続筒部６０は、シリンダ部３の内部に向けて開口された大径の上筒部６２と、上筒部６２の下方に段差を介して連設された小径の下筒部６３と、を備えている。
下筒部６３の上端部の内周面には、全周に亘って径方向内側に突出した円環状の弁座部６４が形成されている。また、接続筒部６０は、上記したシリンダ部３と一体に形成されている。
【００３４】
ディップチューブ６１は、容器本体１０の内側に配置されて容器本体１０内の内容物を吸い上げるためのチューブであり、例えば可撓性を有するフレキシブルチューブからなる。なお、ディップチューブ６１は、単なる円筒状のパイプであってもよい。ディップチューブ６１の下端開口は、容器本体１０内に開放されており、ディップチューブ６１の上端開口は、上記した接続筒部６０の内側に嵌合されて上記した上筒部６２を介してシリンダ部３の内部に連通されている。
【００３５】
（吸込み弁）
吸込み弁７は、吸込み部６の上筒部６２内に嵌合された周壁部７０と、周壁部７０の内側に配設されて弁座部６４の内側を開閉する板状の弁体部７１と、弁体部７１の外周面と周壁部７０の内周面とを連結する弾性変形可能な連結片７２と、を備えている。
【００３６】
周壁部７０は、吸込み部６の上筒部６２内にアンダーカット嵌合されている。弁体部７１は、弁座部６４の上面に密に当接している。連結片７２は、例えば周方向に間欠的に複数配設され、弁体部７１の外周面と周壁部７０の内周面とを繋いでいる。
なお、吸込み弁７は、１つの連結片７２で弁体部７１を支持した一点弁でもよい。さらに、本実施形態では、弁座部６４に着座する弁体部７１を利用することで吸込み部６の内側を開閉する吸込み弁７を例に挙げたが、この場合に限定されるものではなく、例えばボール弁を吸込み弁として採用しても構わない。
【００３７】
（ノズル部）
ノズル部８は、図２に示すように、シリンダ部３内の液室３２に貯留された内容物を外部に吐出させるための筒状部であり、その概略構成としては、シリンダ部３の底壁部３１の下面から側方（シリンダ軸Ｏに交差する方向）に向かって突出しているとともにシリンダ部３の内側に連通したノズル本体８０と、ノズル本体８０に脱着可能に接続された補助ノズル８１と、を備えている。
【００３８】
ノズル本体８０は、円筒形状の筒部であり、吐出口８１ａ側に向かって下向きに傾斜している。なお、図２等にＬで示す鎖線は、ノズル本体８０の中心軸線を示しており、以下、ノズル軸Ｌという。また、ノズル軸Ｌに沿った方向をノズル軸方向といい、ノズル軸方向から見てノズル軸Ｌに直交する方向をノズル径方向といい、ノズル軸Ｌ回りの方向をノズル周方向という。さらに、ノズル軸Ｌに沿った方向のうち、吐出口８１ａ側を前側といい、シリンダ部３側を後側という。
【００３９】
ノズル本体８０は、シリンダ部３と一体化されるとともに装着筒部３０の外周面から突出する略円筒形状の根元筒部８２と、根元筒部８２の前端に嵌合された先端筒部８３と、を備えている。根元筒部８２の後端部は、端壁部８２ａによって閉塞されており、また、根元筒部８２の後端部の上部は、シリンダ部３の内部に向けて開口されている。
また、根元筒部８２の内側には、ノズル軸Ｌに対して垂直に配設された隔壁部８２ｂが配設されている。
【００４０】
隔壁部８２ｂには、ノズル軸方向に貫通する挿通孔８２ｃが形成されている。挿通孔８２ｃは、ノズル軸Ｌを中心軸線にして隔壁部８２ｂの中央部分に形成されている。挿通孔８２ｃは、前側に向かうに従い漸次拡径するテーパー状に形成されている。
また、隔壁部８２ｂには、ノズル軸方向に貫通する複数の流通孔８２ｄが形成されている。
流通孔８２ｄは、内容物が流通する流路であり、挿通孔８２ｃの周囲に間欠的に形成されている。
【００４１】
根元筒部８２の後端部の外周面には、先端筒部８３の後述する外装筒部８３ａの後端開口縁と対向された対向部８２ｅが突設されている。対向部８２ｅは、ノズル周方向に連続して環状に形成されている。
また、根元筒部８２の外周面のうち、対向部８２ｅよりも前側には、先端筒部８３の外装筒部８３ａがアンダーカット嵌合された嵌合突起８２ｆが設けられている。
【００４２】
嵌合突起８２ｆは、ノズル周方向に連続して環状に形成されている。また、根元筒部８２の外周面のうち、嵌合突起８２ｆよりも前側に位置する部分には、先端筒部８３の外装筒部８３ａの内周面に形成された後述の溝部８３ｃに挿入されることで先端筒部８３の根元筒部８２に対する回転を防止する周止めリブ８２ｇが設けられている。
周止めリブ８２ｇは、それぞれがノズル軸方向に沿って直線状に形成され、ノズル周方向に間隔をあけて複数形成されている。
【００４３】
根元筒部８２の前端開口縁には、先端筒部８３の後述する弁押え８４の環状基部８４ａの後面が当接或いは近接している。このように根元筒部８２の前端開口縁に弁押え８４の環状基部８４ａが突き当てられることにより、先端筒部８３が根元筒部８２に対してノズル軸方向に位置決めされている。
【００４４】
先端筒部８３は、根元筒部８２に外装された略円筒形状の外装筒部８３ａと、外装筒部８３ａの前端縁に接続されるとともに外装筒部８３ａよりも小径の略円筒形状の被外装筒部８３ｂと、を備えている。外装筒部８３ａは、根元筒部８２に外装され、後端部が根元筒部８２の嵌合突起８２ｆにアンダーカット嵌合されている。このように外装筒部８３ａは、根元筒部８２に強固に嵌合されている。
【００４５】
このため、補助ノズル８１を先端筒部８３から脱離させる際に、先端筒部８３が根元筒部８２から脱離することが防止される。また、外装筒部８３ａの内周面には、根元筒部８２の周止めリブ８２ｇが挿入された溝部８３ｃがノズル周方向に離散的に等間隔で複数形成されている。これらの溝部８３ｃのそれぞれは、ノズル軸方向に沿って直線状に形成されている。
【００４６】
被外装筒部８３ｂは、補助ノズル８１が外装された円筒形状の部位である。被外装筒部８３ｂの後端部には、外周面から突出する環状突起８３ｄが設けられている。環状突起８３ｄは、補助ノズル８１の後述する係止突起８１ｅが環状突起８３ｄの後側から係止された部位であり、ノズル周方向に延びるように環状に形状されている。
【００４７】
また、被外装筒部８３ｂの外周面のうち、環状突起８３ｄよりも前側に位置する部分は、補助ノズル８１の後述する案内溝部８１ｆに挿入されることで補助ノズル８１のノズル本体８０に対する回転を防止するとともに脱着時に補助ノズル８１を案内する案内リブ８３ｆが設けられている。案内リブ８３ｆは、それぞれがノズル軸方向に直線状に形成され、ノズル周方向に間隔をあけて複数形成されている。
【００４８】
また、ノズル本体８０の内側には、弁押え８４が配設されている。弁押え８４は、ノズル本体８０の内周面からノズル径方向に突出する環状基部８４ａと、環状基部８４ａから後側に突出する３つの爪部（第一爪部８４ｂ、第二爪部８４ｃ、及び第三爪部８４ｄ）と、を有している。
環状基部８４ａは、ノズル本体８０の内周面のうち、外装筒部８３ａの前端部に形成され、ノズル周方向に延びる環状に形成されている。環状基部８４ａの後面は、根元筒部８２の前端開口縁に当接或いは近接している。第一爪部８４ｂ、第二爪部８４ｃ、及び第三爪部８４ｄは、それぞれの前端が環状基部８４ａに接続され、後側に向かうに従って漸次ノズル径方向の内側に向けて延びている。
【００４９】
これらの第一爪部８４ｂ、第二爪部８４ｃ、及び第三爪部８４ｄそれぞれの後端部は、図３に示すように、ノズル径方向の内側に向けて屈曲されており、互いに接続されている。このように第一爪部８４ｂの後端部と、第二爪部８４ｃの後端部と、第三爪部８４ｄの後端部と、が互いに接続されることにより、接続されていない場合と比較して、弁押え８４の剛性が高められる。
【００５０】
これらの第一爪部８４ｂ、第二爪部８４ｃ、及び第三爪部８４ｄは、図２（ｂ）に示すように、ノズル周方向に等間隔に配列されている。ノズル軸方向から見て、第一爪部８４ｂと第二爪部８４ｃとの間には第一流通開口Ｓ１が設けられ、第二爪部８４ｃと第三爪部８４ｄとの間には第二流通開口Ｓ２が設けられ、第三爪部８４ｄと第一爪部８４ｂとの間には第三流通開口Ｓ３が設けられている。
これらの第一流通開口Ｓ１、第二流通開口Ｓ２、及び第三流通開口Ｓ３は、後側から前側に向けて、内容物の通過を許容する。
【００５１】
補助ノズル８１は、内容物を吐出するための筒部材であり、内容物を吐出する吐出口８１ａを有している。補助ノズル８１は、ノズル本体８０の被外装筒部８３ｂに外装された筒状の本体筒部８１ｂと、本体筒部８１ｂの前端からノズル軸Ｌに沿って突出する筒状の延出筒部８１ｃと、延出筒部８１ｃの前端から下方に突出するとともに前端開口が吐出口８１ａとされた屈曲筒部８１ｄと、を備えている。
【００５２】
本体筒部８１ｂは、後端の内周面に突設された係止突起８１ｅを備えている。係止突起８１ｅは、ノズル軸Ｌを中心とする環状形状とされている。このような係止突起８１ｅは、ノズル本体８０の被外装筒部８３ｂに備えられた環状突起８３ｄに、環状突起８３ｄの後側からアンダーカット嵌合されている。
【００５３】
また、本体筒部８１ｂの内周面のうち、係止突起８１ｅよりも前側に位置する部分には、ノズル本体８０の被外装筒部８３ｂが備える案内リブ８３ｆが挿入された案内溝部８１ｆがノズル周方向に離散的に等間隔で複数形成されている。これらの案内溝部８１ｆは、それぞれがノズル軸方向に直線状に形成されている。
【００５４】
このような本体筒部８１ｂの前端部は、前側に向かうに連れて縮径されており、延出筒部８１ｃが接続されている。延出筒部８１ｃは、本体筒部８１ｂよりも小径とされるとともに、ノズル軸Ｌを共通軸として同軸に配置されている。屈曲筒部８１ｄは、延出筒部８１ｃと略同一径とされており、吐出口８１ａが略下方を向くように延出筒部８１ｃに対して屈曲して接続されている。
【００５５】
また、補助ノズル８１の本体筒部８１ｂの外周面には、滑り止め突部８１ｇが複数設けられている。それぞれの滑り止め突部８１ｇは、ノズル周方向に延びて形成されている。本体筒部８１ｂの外周面のうち、水平方向に対向する領域のそれぞれに対して３つずつの滑り止め突部８１ｇが設けられており、各領域では滑り止め突部８１ｇがノズル軸方向に等間隔で配列されている。
このような滑り止め突部８１ｇにより、補助ノズル８１をつまんでノズル本体８０から容易に取り外すことが可能となる。
【００５６】
（吐出弁）
吐出弁９は、ノズル部８内からシリンダ部３内の液室３２への内容物及び空気の流入を止める逆止弁であり、ピストン部４の押込み動作（下方移動）に連動して開けられる。
吐出弁９は、ノズル部８の内側に取付けられる弁基部９０と、弾性変形することにより液室３２と吐出口８１ａとの連通及びその遮断を切り替える弁部９１と、を備えている。
弁部９１は、弁基部９０から吐出口８１ａ側に向けて延びる筒状に形成されている。
【００５７】
弁基部９０は、隔壁部８２ｂの前側に配設され、挿通孔８２ｃより大径に形成された基部本体９２と、基部本体９２から後側に向けて突出し、挿通孔８２ｃに挿通された挿通部９３と、を備えている。挿通部９３は筒状に形成され、ノズル軸Ｌと同軸に配設されている。
挿通部９３のうち、隔壁部８２ｂより後側に位置する後端部には、ノズル径方向の外側に向けて突出する係止部９４が形成されている。挿通部９３は、挿通孔８２ｃに前後動自在に挿通される。吐出弁９が前進端位置に位置したときに、係止部９４が隔壁部８２ｂの後面に当接し、吐出弁９が後退端位置に位置したときに、基部本体９２が隔壁部８２ｂの前面に当接する。
【００５８】
係止部９４は、後側に向かうに従い漸次、縮径された円錐台形状に形成されており、上述したテーパー状の挿通孔８２ｃの前側から挿通孔８２ｃ内に挿入させることで、吐出弁９が挿通孔８２ｃに装着されている。基部本体９２は、柱状に形成され、ノズル軸Ｌと同軸に配設されている。
弁部９１は、前側に向かって漸次拡径されたテーパー状の筒形状をなし、弁基部９０の基部本体９２の外周縁から、前側に向かって突設されている。弁部９１の前端部は、ノズル本体８０の内周面に全周にわたって密に当接している。
【００５９】
そして、本実施形態では、ノズル本体８０の内側において、吐出弁９よりも前側に位置する部分には、弁押え８４が、吐出弁９の弁基部９０とノズル軸方向に当接或いは近接して配設されている。
弁押え８４は、弁部９１におけるノズル径方向の内側に挿入され、弁基部９０と当接或いは近接して配設されている。図示の例では、弁押え８４のうち、第一爪部８４ｂ、第二爪部８４ｃ、及び第三爪部８４ｄそれぞれの後端部が、弁部９１内に挿入され、弁基部９０における基部本体９２の前面と当接或いは近接している。
【００６０】
弁押え８４は、吐出弁９が前進端位置に位置したときに、弁押え８４の後端部が、弁基部９０の前面とノズル軸方向に隙間をあけて対向するように配設されている。
弁基部９０の前面には、凹部９５が形成されている。凹部９５は、ノズル軸方向から見た平面視において、円形状をなしている。凹部９５は、ノズル軸Ｌと同軸上に配置されている。
【００６１】
弁押え８４の後端部には、凹部９５内に挿入される突部８４ｅが形成されている。図示の例では、突部８４ｅは、弁押え８４の後端部におけるノズル径方向の中央部に配設され、第一爪部８４ｂ、第二爪部８４ｃ、及び第三爪部８４ｄそれぞれの接続部分に一体に形成されている。突部８４ｅは、ノズル軸Ｌと同軸上に配設された円柱形状をなしている。
突部８４ｅは、吐出弁９の前後動位置を問わず常に凹部９５内に位置している。また、突部８４ｅは、吐出弁９が前進端位置に位置したときに、弁基部９０の凹部９５に対して、ノズル軸方向及びノズル径方向の両方向に隙間をあけて配設されている。なお、突部８４ｅは、凹部９５内に嵌合されていてもよい。
【００６２】
＜定量吐出器の作用＞
上記した定量吐出器１を用いて内容物を吐出する際には、液室３２に内容物が貯留された状態で、押下ヘッド５１の天壁部５１ａの上面を押圧し、コイルスプリング５２の付勢力に抵抗しながら押下ヘッド５１を押し下げる。
これにより、コイルスプリング５２が軸方向に圧縮されるとともに、連結部材５３を介して押下ヘッド５１に連結されたピストン部４が、押下ヘッド５１とともにシリンダ部３に対して相対的に下降してシリンダ部３の底壁部３１側に押し込まれ、液室３２が減容される。
【００６３】
次に、液室３２の減容化によって液室３２の内圧が所定の正圧まで上昇することで、その内圧によって弁部９１が弾性的に縮径変形し、弁部９１の前端部とノズル本体８０の内周面との間に隙間が形成されて吐出弁９が開かれる。
これにより、液室３２内の内容物がノズル本体８０の後端部の内側に流入した後、隔壁部８２ｂの流通孔８２ｄと、第一流通開口Ｓ１、第二流通開口Ｓ２及び第三流通開口Ｓ３とを通ってノズル本体８０内を前側に向かって流通し、さらに、ノズル本体８０内から補助ノズル８１内に流入して補助ノズル８１内を通って補助ノズル８１の吐出口８１ａから外部に吐出される。
【００６４】
そして、上記した押下ヘッド５１の押し下げ操作を止めてピストン部４の押込み動作（下降）を停止させると、弁部９１が弾性により復元変形して拡径される。これにより、弁部９１の前端部がノズル本体８０の内周面に全周に亘って再び密に当接して吐出弁９が閉じられ、その結果、ノズル部８からの内容物の吐出が停止される。
【００６５】
次に、押下ヘッド５１への押圧力を解除すると、コイルスプリング５２の付勢力によって押下ヘッド５１が押し上げられ、連結部材５３を介して押下ヘッド５１に連結されたピストン部４が、押下ヘッド５１とともにシリンダ部３に対して相対的に上昇してシリンダ部３の上端側に引き戻され、液室３２の容積が増大される。その結果、液室３２の内圧が負圧となり、その内圧によってピストン部４の底壁部４０が引っ張られる。
【００６６】
また、上述したように液室３２の内圧が負圧となると、その内圧によって吸込み弁７の弁体部７１が引っ張られ、吸込み弁７の連結片７２を弾性変形させながら弁体部７１が引き上げられ、弁体部７１が弁座部６４から離間して吸込み弁７が開かれる。
これにより、容器本体１０内の内容物がディップチューブ６１内に流入してディップチューブ６１内を上方に向かって流通し、弁座部６４の内側を通って吸込み弁７の周壁部７０の内側に流入する。そして、その内容物は、周壁部７０と弁体部７１との間の隙間を通って流通し、接続筒部６０の上筒部６２の内側を通過して液室３２内に吸い込まれる。
【００６７】
そして、連結部材５３のフランジ部５３ｂの上面が中蓋５０の底壁部５０ｄの下面のストッパ５０ｆに当接することで、押下ヘッド５１の上昇が停止してピストン部４の引戻し動作が停止する。これにより、吸込み弁７の連結片７２の弾性によって弁体部７１が引き下げられ、弁体部７１が弁座部６４に着座して密に当接して吸込み弁７が閉じられ、その結果、液室３２内への内容物の吸い込みが停止される。
【００６８】
以上説明したように、本実施形態に係る定量吐出器１によれば、ノズル部８の内側において、吐出弁９よりも吐出口８１ａ側に位置する部分に、吐出弁９の弁基部９０とノズル軸方向に近接する弁押え８４が配設されているので、仮に液室３２内の内容物が、ノズル部８の内側を吐出口８１ａ側に向けて勢いよく流れたとしても、弁押え８４により、弁基部９０を吐出弁９の前側から押えることができる。このため、ノズル部８の内側において、吐出弁９が前側に向けて位置ずれするのを防ぐことができる。またこのような作用効果は、この定量吐出器１が、例えば内容量が１Ｌ以上である大容量の容器本体１０に適用される場合に顕著に奏功される。
【００６９】
また、弁部９１が、弁基部９０から前側に向けて延びる筒状に形成され、弁押え８４は、弁部９１におけるノズル径方向の内側に挿入されているので、弁押え８４が弁部９１と接触するのを抑制することが可能になり、弁部９１の弾性変形が弁押え８４によって阻害されるのを防ぐことができる。
【００７０】
また、本実施形態に係る定量吐出器１においては、弁基部９０の外表面のうち、吐出口８１ａ側を向く前面には凹部９５が形成され、弁押え８４には、凹部９５内に挿入される突部８４ｅが形成されている。
このため、弁押え８４の突部８４ｅが、弁基部９０の前面に形成された凹部９５内に挿入されているので、吐出弁９が弁押え８４に対して、ノズル径方向に位置ずれするのを抑制することが可能になり、弁押え８４により吐出弁９を確実に押えることができる。
【００７１】
（第二実施形態）
次に、図３を参照し、本発明の第二実施形態に係る定量吐出器１００について説明する。なお、本実施形態においては、第一実施形態における構成要素と同一の部分については同一の符号を付し、その説明を省略し、異なる点についてのみ説明する。
【００７２】
本実施形態に係る定量吐出器１００では、図３に示すように、弁押え１８４は、弁基部９０の前面の略全域にわたって当接する当接部８４ｆを備えている。当接部８４ｆは、弁押え１８４の後端部に形成されている。
当接部８４ｆは、ノズル軸Ｌと同軸に配設されている。当接部８４ｆは、図３（ｂ）に示すように、ノズル軸方向から見た平面視において円形状をなしている。当接部８４ｆの半径は、第一爪部８４ｂ、第二爪部８４ｃ、及び第三爪部８４ｄそれぞれの後端部におけるノズル径方向の外端と、ノズル軸Ｌと、のノズル径方向の距離と同等となっている。
当接部８４ｆのノズル軸方向の厚みは、第一爪部８４ｂ、第二爪部８４ｃ、及び第三爪部８４ｄそれぞれの厚みと同等となっている。当接部８４ｆは、弁部９１のノズル径方向の内側に位置している。抑え部１８４は、吐出弁９が前進端位置に位置したときに、当接部８４ｆの後面が、弁基部９０の前面とノズル軸方向に隙間をあけて対向するように配設されている。
【００７３】
本実施形態に係る定量吐出器１００によれば、弁押え１８４が、弁基部９０の前面の略全域にわたって当接する当接部８４ｆを備えているので、当接部８４ｆにより、弁基部９０の前面を略全域にわたって押えることで、吐出弁９がノズル軸Ｌに対して傾くのを防ぐことができ、吐出弁９が前側に位置ずれするのを効果的に抑制することができる。
【００７４】
（第三実施形態）                              
次に、図４を参照し、本発明の第二実施形態２００に係る定量吐出器ついて説明する。なお、本実施形態においては、第一実施形態における構成要素と同一の部分については同一の符号を付し、その説明を省略し、異なる点についてのみ説明する。
【００７５】
本実施形態に係る定量吐出器２００では、図４に示すように、弁押え２８４の後端部に、当接部８４ｆが形成されている。当接部８４ｆのノズル径方向の中央部に、後方に向けて突出する突部８４ｅが形成されている。このような構成とすることで、突部８４ｅ及び当接部８４ｆによる吐出弁９の位置ずれを防止する前述した効果をともに得ることになり、弁押え２８４により、吐出弁９が前側に向けて移動するのを、より一層効果的に抑制することができる。
【００７６】
次に、以上説明した作用効果の検証試験について説明する。
【００７７】
この検証試験では、比較例である定量吐出器、第一実施形態に係る定量吐出器１、第二実施形態に係る定量吐出器１００、及び第三実施形態に係る定量吐出器２００を評価サンプルとして、各評価サンプルを倒立姿勢にした状態で、所定の高さから落下させた際に、ノズル部の内側において、吐出弁が前側に向けて位置ずれするかどうかを確認した。
なお、比較例の定量吐出器として、ノズル部の内側に弁押えが配設されていない定量吐出器を採用した。今回の試験では、各評価サンプルを倒立姿勢でコンクリート面に向けて落下させた。各評価サンプルは、内容量１Ｌの容器本体に適用し、液室内を水で充満させた。試験はそれぞれのサンプルについて５回行った。
【００７８】
その結果、比較例である定量吐出器においては、６０ｃｍの高さから落下させると、一部について、吐出弁が隔壁部から前側に脱落したことが確認された。また、７０ｃｍの高さから落下させると、全てについて、吐出弁が隔壁部から前側に脱落したことが確認された。
一方、定量吐出器１及び定量吐出器１００では、８０ｃｍの高さから落下させた際に、全てについて、吐出弁９が隔壁部８２ｂから脱落しないことが確認された。
また、定量吐出器２００では、９０ｃｍの高さから落下させた際に、全てについて、吐出弁９が隔壁部８２ｂから脱落しないことが確認された。
【００７９】
これにより、ノズル部８の内側において、吐出弁９よりも前側に位置する部分に、弁基部９０と当接或いは近接する弁押え８４を配設することで、吐出弁９の前側への位置ずれを防ぐことができることが確認された。また、定量吐出器２００のように、弁押え８４に突部８４ｅ及び当接部８４ｆを設けることで、吐出弁９が前側に向けて移動するのを、より一層効果的に抑制することができることが確認された。
【００８０】
なお、本発明の技術範囲は、上記実施形態に限定されるものではなく、本発明の趣旨を逸脱しない範囲において、種々の変更を加えることが可能である。
【００８１】
例えば、上記実施形態においては、弁押え８４、１８４、２８４が、弁部９１におけるノズル径方向の内側に挿入され、弁基部９０と当接或いは近接している構成を示したが、このような態様に限られない。弁押えが、弁部におけるノズル径方向の内側に挿入されていなくてもよい。
【００８２】
また、上記実施形態においては、弁押え８４が爪部を３本有する構成を採用した。しかしながら、本発明はこれに限定されるものではなく、弁押えの爪部の数を変更してもよい。
また、上記実施形態においては、弁押え８４が爪部（第一爪部８４ｂ、第二爪部８４ｃ、及び第三爪部８４ｄ）を有する構成を採用した。しかしながら、本発明はこれに限定されるものではなく、例えば、弁押えを円筒状又は円錐筒状等に形成してもよいし、弁押えとして網状部材等を用いてもよい。
【００８３】
また、上記実施形態においては、弁押え８４が環状基部８４ａを有する構成を採用した。しかしながら、本発明はこれに限定されるものではなく、爪部（第一爪部、第二爪部、及び第三爪部）がノズル本体の内周面に直接接続してもよい。
【００８４】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００８５】
１、１００、２００  定量吐出器
３  シリンダ部
４  ピストン部
５  ピストン操作部
６  吸込み部
７  吸込み弁
８  ノズル部
９  吐出弁
３２  液室
８０  ノズル本体
８１ａ  吐出口
８４、１８４，２８４  弁押え
８４ｅ  突部
８４ｆ  当接部
９０  弁基部
９１  弁部
９５  凹部
Ｌ  ノズル軸
【図１】
0006609517.tif 000002
【図２】
0006609517.tif 000003
【図３】
0006609517.tif 000004
【図４】
0006609517.tif 000005